(57)【特許請求の範囲】
【請求項１】
複数の画像を備えるネガフィルム、ポジフィルム等の一本のフィルムにおける各画像の色に関する補正情報を入力する補正情報入力システムであって、
ポインティングデバイスと、該ポインティングデバイスを用いた前記補正情報の入力が可能である所定の座標系と、該座標系を表示可能である表示部とを有し、該座標系内で特定される入力ポイントに基づいて前記補正情報の入力が可能であり、
前記補正情報を入力した際の前記入力ポイントの履歴であって、前記複数の画像を備える一本のフィルム分の履歴が、前記座標系内に表示可能であることを特徴とする補正情報入力システム。
【請求項２】
複数の画像を備えるネガフィルム、ポジフィルム等の一本のフィルムにおける各画像の色に関する補正情報を入力する補正情報入力システムであって、
ポインティングデバイスと、該ポインティングデバイスを用いた前記補正情報の入力が可能である所定の座標系と、該座標系を表示可能である表示部とを有し、該座標系内で特定される入力ポイントに基づいて前記補正情報の入力が可能であり、
前記複数の画像を備える一本分のフィルム分の補正情報の平均値が、前記座標系内に表示可能であることを特徴とする補正情報入力システム。
【請求項３】
１点の前記入力ポイントを特定することにより、複数の前記補正情報の入力が可能である請求項１又は２に記載の補正情報入力システム。
【請求項４】
前記表示部の解像度が、前記補正情報を入力する際の最小単位として設定可能である請求項１から３のいずれか１項に記載の補正情報入力システム。
【請求項５】
前記座標系内が、前記補正情報に対応した色で表示されている請求項１から４のいずれか１項に記載の補正情報入力システム。
【請求項６】
請求項１から５のいずれか１項に記載された補正情報入力システムを備えたことを特徴とする写真処理装置。
【発明の詳細な説明】
【０００１】
【発明の属する技術分野】
本発明は、補正情報の入力処理を容易化する補正情報入力システム、およびこれを用いて、プリント時およびリプリント時における補正情報に関する種々の処理を簡単に行うことが可能であるように構成された写真処理装置に関するものである。
【０００２】
【従来の技術】
写真処理装置を稼働させて、プリントおよびリプリント（以下、「焼き付け処理」という。）を行う際には、一般に、被写体等の画像が形成されたフィルム（ネガフィルム、あるいはポジフィルム等）の全面積の平均透過濃度が測定される。そして、従来技術に係る写真処理装置においては、測定された平均透過濃度に基づいて、焼き付け処理を行う際における露光量を決定し、印画紙等の感光材料におけるＹ（イエロー）、Ｍ（マゼンタ）、Ｃ（シアン）の各色感光層に与える露光量を所定値になるように制御して、カラーバランスの良好な焼き付け処理が行われる。
【０００３】
画像が形成されたフィルムにおいては、輝度分布や色分布に偏りがある場合には、適正なカラープリントが得られ難い。よって、通常、係るフィルムについての焼き付け処理を行う場合には、適正なカラープリントを得るために、色等の補正を行う。
【０００４】
一般的に、色等の補正情報（Ｙ、Ｍ、Ｃ等に関する補正情報）は、オペレータが、各項目毎にキー操作を行って、その補正値をそれぞれ入力している。そして、この入力された補正値は、各項目毎に、単なる数値としてディスプレイ等に表示され、その補正値に基づいて、適正なカラープリントを得るための焼き付け処理が行われる。
【０００５】
【発明が解決しようとする課題】
しかしながら、上記従来技術に係る写真処理装置は、以下のような問題を有していた。
【０００６】
従来技術に係る写真処理装置によれば、オペレータが補正値を入力する場合において、Ｙ、Ｍ、Ｃ等の補正情報をそれぞれ別個に入力している。すなわち、複数の補正情報を入力する際においては、補正情報の数だけ、オペレータがキー操作を行っている。したがって、従来技術によれば、複数の補正情報を入力する場合には、必ずそれに応じた複数回のキー操作が必要となるので、オペレータにとって補正情報入力処理が煩雑であるという問題があった。
【０００７】
また、キーボードを有する機器についての処理（キー操作）が不得手であるというオペレータもおり、そのようなオペレータにとっては、キー操作そのものに煩雑さを感じるという問題があった。
【０００８】
さらに、従来技術に係る写真処理装置によれば、入力された補正情報がディスプレイ等に「数字」そのものとして表示されるので、オペレータが補正情報を認識しずらい場合があるという問題があった。
【０００９】
そこで、本発明は上記従来技術に係る問題を解決するためになされたものであって、キー操作を無くす等して補正情報の入力処理を容易化する補正情報入力システムを提供し、補正情報の表示形式を変更して補正情報の認識を容易化する補正情報入力システムを提供すると共に、この補正情報入力システムを用いることによって、焼き付け処理時における補正情報に関する種々の処理を簡単に行うことが可能であるように構成された写真処理装置を提供することを課題とする。
【００１０】
【課題を解決するための手段】
すなわち、上記課題を解決するための第一の発明は、複数の画像を備えるネガフィルム、ポジフィルム等の一本のフィルムにおける各画像の色に関する補正情報を入力する補正情報入力システムであって、ポインティングデバイスと、該ポインティングデバイスを用いた前記補正情報の入力が可能である所定の座標系と、該座標系を表示可能である表示部とを有し、該座標系内で特定される入力ポイントに基づいて前記補正情報の入力が可能であり、前記補正情報を入力した際の前記入力ポイントの履歴であって、前記複数の画像を備える一本のフィルム分の履歴が、前記座標系内に表示可能であることを特徴としている。あるいは、上記課題を解決するための第二の発明は、複数の画像を備えるネガフィルム、ポジフィルム等の一本のフィルムにおける各画像の色に関する補正情報を入力する補正情報入力システムであって、ポインティングデバイスと、該ポインティングデバイスを用いた前記補正情報の入力が可能である所定の座標系と、該座標系を表示可能である表示部とを有し、該座標系内で特定される入力ポイントに基づいて前記補正情報の入力が可能であり、前記複数の画像を備える一本分のフィルム分の前記補正情報の平均値が、前記座標系内に表示可能であることを特徴としている。
【００１１】
本発明に係る補正情報入力システムによれば、キーボードのキー操作等を行うことなく、ポインティングデバイスを用いて所定の点を選択するのみで補正情報を入力することができるので、キー操作等が不得手なオペレータであっても、比較的容易に補正情報の入力を行うことが可能となる。
【００１２】
ここで、前記座標系は、ＣＲＴ、液晶等のディスプレイに表示可能であるように構成されても、または、感圧型タブレット（感圧センサ等を有した座標認識装置）として形成されていてもよい。前記座標系上の所定の点をポインティングデバイス（のポインタ等）を用いて選択・特定するのみで前記補正情報の入力を行うことが可能となる。したがって、キーボードのキー操作等の処理が不得手なオペレータであっても、比較的容易に補正情報の入力を行うことができ、さらに、前記座標系上において補正情報の入力を行うので、前記座標系上の位置等に基づいて、補正量の大きさ、バランス等を視覚的に認識しながら、より容易に補正情報入力処理を行うことが可能となる。
【００１３】
また、上記第一の発明の構成によれば、以前入力した補正情報に対応する各入力ポイントの履歴であって、複数の画像を備える一本のフィルム分の履歴が適宜表示可能であるので、これらの履歴を補正情報を入力する際の目安あるいは指針として、効率的な補正情報入力処理を行うことが可能となる。
【００１４】
あるいは、上記第二の発明の構成によれば、複数の画像を備える一本のフィルム分の補正情報の平均値を表示することによって、そのフィルムにおける補正傾向を容易に認識、判断等することが可能となるので、より容易で且つ安定した補正情報入力処理を行うことができる。すなわち、複数の画像を備える一本のフィルム分の補正情報の平均値の表示は、補正処理のための指針とすることができる。
【００１５】
また、本発明に係る補正情報入力システムにおいては、１点の前記入力ポイントを特定することにより、複数の前記補正情報の入力が可能であるように構成されていることが好ましい。この好ましい構成によれば、従来、複数回の処理（キー操作等）が必要であった複数個の補正情報の入力処理を、前記入力ポイントを１ヶ所特定することで行うことができるので、より容易に補正情報の入力処理を行うことが可能となる。
【００１６】
また、本発明に係る補正情報入力システムにおいては、前記表示部の解像度が、前記補正情報を入力する際の最小単位として設定可能である構成が好ましい。
【００１７】
この好ましい構成によれば、より精細な設定が可能となり、高精度の補正処理を行うことができる。
【００２２】
また、本発明に係る補正情報入力システムにおいては、前記座標系内が、前記補正情報に対応した色で表示（着色）された構成であることが好ましい。例えば、前記座標系内が補正を行う際の各色（Ｙ，Ｍ，Ｃ）に塗り分けられた状態で、各色領域（境界領域も含む）が、それぞれの補正量に応じた比率で着色されている。
【００２３】
この好ましい構成によれば、数値のみではなく、色の傾向を見ながら視覚的な判断に基づいて、前記補正情報の入力処理を行うことが可能となるので、オペレータが色の傾向等を認識しつつ、より感覚的な補正を行うことができる。
【００３２】
さらに、上記課題を解決するための本発明に係る写真処理装置は、上述した前記補正情報入力システムを備えたことを特徴としている。
【００３３】
本発明によれば、補正情報の入力処理および認識処理等におけるオペレータの作業性をより向上させることが可能な写真処理装置を得ることができる。ここで、「写真処理装置」とは、フィルムの現像処理から、ペーパに対するプリント処理までの一連の処理を行う装置、あるいは、ネガフィルムからのプリント処理（リプリント処理）を行う装置等をいう。
【００３４】
【発明の実施の形態】
以下、図面を参酌しつつ、本発明の実施の形態を説明する。
【００３５】
本発明の実施形態に係る写真処理装置は、補正情報入力システムおよび補正情報表示システムを有している。本実施形態においては、補正情報入力システムが、ポインティングデバイスとしてのトラック・ボール等を用いて構成されている。また、補正情報表示システムが、表示部としてのＣＲＴ等を用いて構成されている。
【００３６】
ここで、「ポインティングデバイス」とは、オペレータが指示したい所定の場所（あるいは、その所定の場所に基づいた所定の情報）を入力可能に構成された指示手段であって、トラック・ボール以外にも、例えば、マウス、ライトペン、ジョイスティック、タッチスクリーン、ディジタイザ、タブレット等を用いることが可能である。また、「表示部」としては、ＣＲＴ以外にも、液晶を用いたディスプレイ、あるいはプラズマディスプレイ等を用いることが可能である。
【００３７】
本実施形態においては、ポインティングデバイスを用いて移動可能なポインタが、表示部に表示されるように構成されている。そして、表示部には、補正情報を入力し得るように、Ｙ、Ｍ、Ｃに関する補正値を所定の形状とした座標系が表示されている。
【００３８】
〈第一の実施形態〉
図１は、本発明の第一の実施形態に係る補正情報表示システムを構成する表示部に表示された座標系を示したものである。図１に示した座標系１０においては、第一の入力軸１１が、Ｙ（イエロー）の補正値を入力し得る軸を示し、この第一の入力軸１１の実線部分１１Ａが正の値の入力軸、破線部分１１Ｂが負の値の入力軸を示している。また、第二の入力軸１２が、Ｍ（マゼンタ）の補正値を入力し得る軸を示し、この第二の入力軸１２の実線部分１２Ａが正の値の入力軸、破線部分１２Ｂが負の値の入力軸を示している。さらに、第三の入力軸１３が、Ｃ（シアン）の補正値を入力し得る軸を示し、この第三の入力軸１３の実線部分１３Ａが正の値の入力軸、破線部分１３Ｂが負の値の入力軸を示している。
【００３９】
図１に示した座標系１０においては、各入力軸１１，１２，１３が、−５から＋５までの補正値入力範囲を有している。
【００４０】
本実施形態においては、ポインティングデバイス（図示省略）を用いて移動可能なポインタ（図示省略）を、表示部に表示された座標系１０上を移動させ、必要な補正値を示す各入力軸１１，１２，１３の所定の点を選択することによって補正値の入力が行われる。
【００４１】
図２は、図１の座標系１０に対して補正値を入力した状態の一例を示したものである。この図２においては、（Ｙ，Ｍ，Ｃ）＝（＋３，＋１，−３）の補正値を入力した状態を示している。本実施形態においては、図２に示すように、入力された補正値を示す各点２１，２２，２３は、それぞれ線分で接続するような形状で表示される。すなわち、「０」以外の補正値が二つ以上存在する場合には、各補正値からなる補正情報が、「三角形」で表現されることとなる。また、「０」以外の補正値が一つの場合には、補正情報は「直線」で表現されることとなる。
【００４２】
この際、補正値として各入力軸１１，１２，１３上で選択された各点２１，２２，２３は、座標系１０を構成している各点（例えば、目盛りを形成する点）よりも大きめの点で表示されることが好ましい。また、この補正値を示す各点２１，２２，２３は、座標系１０を構成している各点と異なる色で表示されることも好ましい。さらに、この補正値を示す各点２１，２２，２３間を接続する線分についても、座標系１０を形成している線分の色と異なる色で表示されることが好ましい。
【００４３】
本実施形態に係る写真処理装置は、以上のように、ポインタを移動可能とするポインティングデバイス等を用いて構成された補正情報入力システムと、座標系１０が表示された表示部等を用いて構成された補正情報表示システムとを有するので、次のような効果を得ることができる。
【００４４】
本実施形態によれば、座標系１０上の所定の点をポインティングデバイス（ポインタ）を用いて選択するのみで補正情報の入力を行うことが可能となるので、キーボードのキー操作等の処理が不得手なオペレータであっても、比較的容易に補正情報の入力を行うことができる。
【００４５】
また、本実施形態によれば、補正情報が、座標系１０上に「三角形」あるいは「直線」で表示されることとなるので、補正量の大きさ、バランス等を、オペレータが視覚的に容易に認識することが可能となる。
【００４６】
〈第二の実施形態〉
図３は、本発明の第二の実施形態に係る補正情報表示システムを構成する表示部に表示された座標系を示したものである。図３に示した座標系３０においては、第一の入力軸３１が、Ｙ（イエロー）の補正値を入力し得る軸を示し、第二の入力軸３２が、Ｍ（マゼンタ）の補正値を入力し得る軸を示し、第三の入力軸３３が、Ｃ（シアン）の補正値を入力し得る軸を示している。そして、本実施形態においては、第四の入力軸３４が、濃度の補正値を入力し得る軸として設けられている。
【００４７】
図３に示した座標系３０においては、各入力軸３１，３２，３３，３４が、−５から＋５までの補正値入力範囲を有している。
【００４８】
本実施形態も、第一の実施形態と同様に、ポインティングデバイス（図示省略）を用いて移動可能なポインタ（図示省略）を、表示部に表示された座標系３０上を移動させ、必要な補正値を示す各入力軸３１，３２，３３，３４の所定の点を選択することによって補正値の入力が行われる。
【００４９】
図４は、図３の座標系３０に対して補正値を入力した状態の一例を示したものである。この図４においては、（Ｙ，Ｍ，Ｃ，Ｄ）＝（＋３，＋１，−３，＋１）の補正値を入力した状態を示している。本実施形態においても、第一の実施形態と同様に、入力された補正値を示す各点４１，４２，４３，４４は、それぞれ線分で接続するような形状で表示される。すなわち、本実施形態においては、補正値を示す各点４１，４２，４３，４４からなる補正情報が、通常は、「矩形」で表現されることとなる。
【００５０】
この際、第一の実施形態と同様に、補正値として各入力軸３１，３２，３３，３４上で選択された各点４１，４２，４３，４４は、座標系３０を構成している各点（例えば、目盛りを形成する点）よりも大きめの点で表示されることが好ましく、また、この補正値を示す各点４１，４２，４３，４４は、座標系３０を構成している各点と異なる色で表示されることも好ましい。さらに、この補正値を示す各点４１，４２，４３，４４間を接続する線分についても、座標系３０を形成している線分の色と異なる色で表示されることが好ましい。
【００５１】
本実施形態においても、第一の実施形態と同様に、ポインタを移動可能とするポインティングデバイス等を用いて構成された補正情報入力システムと、座標系３０が表示された表示部等を用いて構成された補正情報表示システムとを有する。
したがって、座標系３０上の所定の点をポインティングデバイス（ポインタ）を用いて選択するのみで補正情報の入力を行うことが可能となるので、キー操作等が不得手なオペレータであっても、比較的容易に補正情報の入力を行うことができる。また、一つあるいは複数の補正値からなる補正情報が、座標系３０上に「矩形」、「三角形」、あるいは「直線」で表示されることとなるので、補正量の大きき、バランス等を、オペレータが視覚的に容易に認識することが可能となる。
【００５２】
〈第三の実施形態〉
図５は、本発明の第三の実施形態に係る補正情報表示システムを構成する表示部に表示された座標系を示したものである。図５に示した座標系５０においては、第一の入力軸５１が、Ｙ（イエロー）の補正値を入力し得る軸を示し、この第一の入力軸５１の実線部分５１Ａが正の値の入力軸、破線部分５１Ｂが負の値の入力軸を示している。また、第二の入力軸５２が、Ｍ（マゼンタ）の補正値を入力し得る軸を示し、この第二の入力軸５２の実線部分５２Ａが正の値の入力軸、破線部分５２Ｂが負の値の入力軸を示している。さらに、第三の入力軸５３が、Ｃ（シアン）の補正値を入力し得る軸を示し、この第三の入力軸５３の実線部分５３Ａが正の値の入力軸、破線部分５３Ｂが負の値の入力軸を示している。
【００５３】
図５に示した座標系５０においては、各入力軸５１，５２，５３が、−５から＋５までの補正値入力範囲を有している。また、本実施形態においては、一つの点を選択することにより、複数（Ｙ，Ｍ，Ｃ）の補正情報が設定可能であるように、図５に示すように、三つの入力軸５１，５２，５３を立体的に構成している。
【００５４】
本実施形態においても、第一および第二の実施形態と同様に、ポインティングデバイス（図示省略）を用いて移動可能なポインタ（図示省略）を、表示部に表示された座標系５０上を移動させ、必要な補正値を示す各入力軸５１，５２，５３の所定の点を選択することによって補正値の入力が行われる。
【００５５】
図６は、図５の座標系５０に対して補正値を入力した状態の一例を示したものである。この図６においては、第一の実施形態と同様に、（Ｙ，Ｍ，Ｃ）＝（＋３，＋１，−３）の補正値を入力した状態を示している。上述したように、図６に示す本実施形態によれば、これら三つ（Ｙ，Ｍ，Ｃ）の補正情報を、ただ一つの補正値入力点６１を選択し設定することのみで、表現することが可能となる。すなわち、本実施形態においては、複数（Ｙ，Ｍ，Ｃ）の補正情報が、一つの「点」で表現されることとなる。
【００５６】
この際、補正値入力点６１は、座標系５０を構成している各点（例えば、目盛りを形成する点）よりも大きめの点で表示されることが好ましく、また、この補正値入力点６１は、座標系５０を構成している点および線分とは異なる色で表示されることが好ましい。
【００５７】
本実施形態においても、第一および第二の実施形態と同様に、ポインタを移動可能とするポインティングデバイス等を用いて構成された補正情報入力システムと、座標系５０が表示された表示部等を用いて構成された補正情報表示システムとを有する。
したがって、本実施形態においては、座標系５０上の所定の一点をポインティングデバイス（ポインタ）を用いて選択するのみで、三つ（Ｙ，Ｍ，Ｃ）の補正値を入力することができる。よって、本実施形態によれば、一点を選択する一回の処理によって、複数の補正情報を入力することが可能となるので、補正情報入力処理を簡単に行うことが可能となる。また、第一および第二の実施形態と同様に、キー操作等が不得手なオペレータであっても、容易に補正情報の入力を行うことができる。さらに、一つあるいは複数の補正値からなる補正情報が、「点」で表示されることとなるので、補正量の大きさ、バランス等をオペレータが視覚的に容易に認識することが可能となる。
【００５８】
なお、第一〜第三の実施形態に係る座標系１０，３０，５０においては、各入力軸が「１」刻みの目盛りを有する場合について説明したが、これは、「１」ずつの入力のみが可能であることを意味するものではない。したがって、例えば、本発明においては、表示部の有する解像度を、補正情報を入力する際の最小単位として設定可能であるように構成してもよい。このような構成とすれば、より精細な設定が可能となり、高精度の補正処理を行うことができる。
【００５９】
また、第一〜第三の実施形態の項では特に説明しなかったが、本発明は、座標系１０，３０，５０に対して入力された所定数の補正情報の平均値等の種々の情報が、適宜、座標系１０，３０，５０上に表示可能であるように、構成されている。このような構成であれば、一本のフィルムの補正情報の平均値等を表示することによって、そのフィルムにおける補正傾向を容易に認識、判断等することが可能となるので、より容易で且つ安定した補正処理を行うことができる。
【００６０】
また、本発明は、座標系１０，３０，５０に対して入力された補正情報の履歴が、適宜、表示部に表示可能であるように構成されている。このような構成であれば、以前入力した補正情報の履歴に基づいて、補正傾向を容易に認識、判断等することが可能となる。また、この履歴を、補正情報の入力を行う際（補正処理を行う際）の指針とすることも可能となる。したがって、このような履歴の表示を可能とすることによって、容易で且つ安定した補正処理を行うことができる。なお、上記履歴の具体例としては、補正情報が最終的に確定されたポイントのみに関する過去の全ての履歴、補正中の画面上（１画面上）における補正過程の履歴等、種々の履歴をとることができる。また、上記各履歴は、全てを表示した場合の画面の見づらさ等を考慮して、古い過去履歴から消去されるように構成しても、あるいは所定数の履歴のみが画面に表示されるように構成してもよい。
【００６１】
また、本発明は、座標系１０，３０，５０内を、補正情報に対応した色で着色してもよい。例えば、座標系１０，３０，５０内が補正を行う際の各色（Ｙ，Ｍ，Ｃ）に塗り分けられ、各色領域（境界領域も含む）が、それぞれの補正量に応じた比率で着色された構成が好ましい。このような構成であれば、数値のみではなく、色の傾向を見ながら視覚的な判断に基づいて、補正処理を行うことが可能となる。したがって、補正情報と座標系１０，３０，５０の色とを比較して、補正値の傾向を認識しつつ、より感覚的な補正を行うことが可能となる。
【００６２】
また、第一〜第三の実施形態においては、写真処理装置が、ポインティングデバイスを有する補正情報入力システムと、座標系が表示された表示部を有する補正情報表示システムとを有する場合について説明したが、本発明はこの構成に限定されるものではない。
【００６３】
したがって、例えば、どちらか一方を有した写真処理装置としてもよい。
その一例としては、補正情報入力システムとしては従来のキーボードを用いて、これにて入力された補正情報を、第一〜第三の実施形態で説明したいずれかの座標系１０，３０，５０上に表示されるような構成であってもよい。このような構成であれば、入力された補正情報は、所定の座標系１０，３０，５０上に表示されるので、補正量の大きさ、バランス等の補正情報を、オペレータが、視覚的により容易に認識することが可能となる。
また他の例としては、第一〜第三の実施形態で説明したいずれかの座標系１０，３０，５０があらかじめ形成された感圧型タブレット（感圧センサ等を有した座標認識装置）を設け、この座標系に対して、指あるいはペン等を用いて、補正情報を入力するように構成してもよい。このような構成であれば、特にＣＲＴ等に座標系を表示させなくても、第一〜第三で説明した種々の効果を得ることが可能となる。特に、オペレータに必要とされる操作量が削減されるので、補正情報入力処理を容易に効率よく行うことが可能となる。
【００６４】
また、第一〜第三の実施形態においては、補正情報入力システムおよび補正情報表示システムを写真処理装置に適用した場合について説明したが、本発明はこの構成に限定されるものではなく、何らかの画像の色補正を行う場合における種々の装置についての適用が可能である。したがって、例えば、広告塔のようなものにＣＭ画像を一定時間映し出しておくような場合の、そのＣＭ画像の色補正を行う場合等に適用できる。すなわち、本発明に係る補正情報入力システムおよび補正情報表示システムは、静画像、動画像を問わず、簡単に色補正を行う場合の種々の装置に対しての適用が可能である。
【００６５】
【発明の効果】
以上説明したように本発明によれば、キー操作を無くして補正情報の入力処理を容易化する補正情報入力システムを得、補正情報の表示形式を変更して補正情報の認識を容易化する補正情報入力システムを得ると共に、補正情報入力システムを用いることによって、焼き付け処理時における補正情報に関する種々の処理を簡単に行うことが可能であるように構成された写真処理装置を得ることができる。
【図面の簡単な説明】
【図１】本発明の第一の実施形態に係る座標系を示した図
【図２】図１の座標系に補正情報を入力した状態の一例を示した図
【図３】本発明の第二の実施形態に係る座標系を示した図
【図４】図３の座標系に補正情報を入力した状態の一例を示した図
【図５】本発明の第三の実施形態に係る座標系を示した図
【図６】図５の座標系に補正情報を入力した状態の一例を示した図
【符号の説明】
１０，３０，５０…座標系
１１，３１，５１…第一の入力軸
１２，３２，５２…第二の入力軸
１３，３３，５３…第三の入力軸
３４…第四の入力軸
【図１】
0004324284.tif 000002
【図２】
0004324284.tif 000003
【図３】
0004324284.tif 000004
【図４】
0004324284.tif 000005
【図５】
0004324284.tif 000006
【図６】
0004324284.tif 000007